(57)【特許請求の範囲】
【請求項１】
バーチカルドレンパイプの先端に取り付けて地中に先行して圧入させる先端治具であって、バーチカルドレンパイプの端部内に挿入連結する筒状部材(1)と、この筒状部材(1)の先端側に連結する側面形状Ｖ字形に形成したアンカー部材(2)とからなり、前記筒状部材(1)が先端側に向かって突出する板状若しくは棒状の突出体(11)を備え、前記アンカー部材(2)がアンカー本体(22)から上方に向かって突出する板状若しくは棒状の突出体(21)を備え、これら両突出体(11)，(21)が、横方向に開口(30)を備えたフック状係合部(31)と、該係合部(31)と嵌合する係合孔(32)との何れかを備えているバーチカルドレンパイプ用ヘッド。
【請求項２】
筒状部材(1)が係合孔(32)を形成した板状の突出体(11)を備え、アンカー部材(2)がフック状係合部(31)を形成した板状の突出体(21)を備えた構造とされている請求項１に記載のバーチカルドレンパイプ用ヘッド。
【請求項３】
筒状部材(1)の全体が合成樹脂素材で形成され、アンカー部材(2)の全体が鉄系金属で形成されている請求項１または２の何れかに記載のバーチカルドレンパイプ用ヘッド。
【発明の詳細な説明】
【０００１】
【発明の属する技術分野】
本発明は、地表から地中に縦に押し込み上端を地上に開口させた埋設状態として使用される、一般にバーチカルドレンパイプと呼ばれる土壌改良用の集水パイプの先端部に連結して使用されるヘッド部材に関するものである。
【０００２】
【従来の技術】
この種のバーチカルドレンパイプは、特殊な又は特定の土壌改良工事業者によって、液状化の可能性が高いと判定された飽和砂質地盤、所謂軟弱地盤に、鋼製保護パイプと水ジェット装置を利用して、地表から地中に例えば１５ｍなり２０ｍなり挿入させ、その一端を地上に突出させて開口させ、その開口部に土砂等の混入防止用のキャップを取り付けておく。現在使用されているこの種のバーチカルドレンパイプとしては、一般には合成樹脂製で、例えば約１００ｍｍ径に所定の間隔を隔てて螺旋状に巻回形成された強度部材の外周に、合成樹脂製の薄い延伸フィルム材で形成した表裏２枚の割り布の間に不織布を挟み込んで積層形成した集水用膜状布を巻き付けて、両者を接着させた地中埋設用の暗渠排水管（例えば特開平７−４８８２５号公報参照）が知られている。
【０００３】
而して、このような集水構造を備えたパイプをバーチカルドレンパイプとして地中に挿入させるには、パイプの先端開口部を閉塞する必要があり、かつ、この先端部を損傷させないように保護する手段が必要である。それ故に、現行従来品では、図１３に示したように、外周面に螺旋溝４３を備え一端に底４２を備えた円筒体４０を形成し、この底４２の中央部にボルト挿入穴４１を形成し、側面視Ｖ字形に曲げ加工した鉄板製のアンカー部材４５に別の鉄板を橋架け状に掛け渡して溶接一体化した水平板４６の中央部にもボルト挿入穴を形成してあるものとし、両者の連結に当たっては、これら両ボルト挿入穴に、円筒体４０の内部側からボルト４７を挿入し、水平板４６の下方からナット止めして両部材を連結する構造としたものであった。
【０００４】
【発明が解決しようとする課題】
しかしながら、このような構造とした従来のバーチカルドレンパイプのヘッド部材は、円筒体４０を形成した後に、その底４２にボルト挿入穴４１を形成しなければならない後加工を必要とし、両部材４０，４５の連結に当たっては、水平板４６の下側の狭い空間でナットの締め付け作業をしなければならないという複雑で面倒な作業を強いられるという解決すべき課題を有していた。
【０００５】
本発明は、従来のバーチカルドレンパイプのヘッド部材が有していた以上のような課題に着目し、かつ、これらの課題を解決することを目的とし、穴開けのような後加工を必要とせず、部材同士の連結が、ほぼワンタッチ状に極めて容易にほぼ瞬間的に行い得る構造としたバーチカルドレンパイプのヘッド部材をここに提供しようとするものである。
【０００６】
【課題を解決するための手段】
該目的を達成するための本発明の構成を、実施例において使用した符号を用いて説明すると、バーチカルドレンパイプの先端に取り付けて地中に先行して圧入させる先端治具であって、バーチカルドレンパイプの端部内に挿入連結する筒状部材１と、この筒状部材１の先端側に連結する側面形状Ｖ字形に形成したアンカー部材２とからなり、前記筒状部材１が先端側に向かって突出する板状若しくは棒状の突出体１１を備え、前記アンカー部材２がアンカー本体２２から上方に向かって突出する板状若しくは棒状の突出体２１を備え、これら両突出体１１，２１が、横方向に開口３０を備えたフック状係合部３１と、該係合部３１と嵌合する係合孔３２との何れかを備えている構成としたものである。
【０００７】
【発明の実施の形態】
このような構成としたバーチカルドレンパイプ用ヘッドの実施に当たっては、前記筒状部材１を、係合孔３２を形成した板状の突出体１１を備えているものとし、前記アンカー部材２を、フック状係合部３１を形成した板状の突出体２１を備えているものとして実施することができる。また、前記筒状部材１は、その全体を合成樹脂素材で形成してあるものとし、前記アンカー部材２は、その全体を例えば鋼材のような鉄系金属で形成して実施することが強度上好ましい。
【０００８】
【実施例】
以下本発明の実施例について図面に基づいて説明する。図１乃至図７は、本発明の第１実施例を示す図であって、図１は筒状部材の斜視図、図２は一部を破断した同図の正面図、図３は同じく一部を破断した同図の側面図、図４はアンカー部材の斜視図、図５，６及び７は同図の平面図，正面図及び図６におけるＡ−Ａ断面図である。また、図８乃至１０は連結状態を説明する斜視図、正面図、一部断面側面図である。
【０００９】
該実施例に示したバーチカルドレンパイプ用ヘッドは、例えば、後述する図９に示した構造としたバーチカルドレンパイプＰの先端に取り付けて、該バイプＰに先行して地中に圧入させる先端治具である。そして、この治具は、該パイプＰの端部内に挿入連結する筒状部材１と、この筒状部材１の先端側に連結して使用するための側面形状Ｖ字形に形成したアンカー部材２とによって構成される。
【００１０】
而して、前記筒状部材１は、地中にあっても経時劣化が少なく、環境問題を起こすことのない非塩素系の樹脂であるポリプロピレン樹脂によって全体が一体的に成形された単一体であって、前記バーチカルドレンパイプＰの内面に突出した螺旋補強芯材（図９における符号ａ）と嵌合する螺旋溝１３を外周面に形成してある筒状部と、その底１２から先端側（図１において下方）に向かって突出する板状の突出体１１を備えており、図２にみられるように、その幅方向の中間部に前記アンカー部材２を形成した、後述するフック状係合部３１と係合するための係合孔３２、ここでは上下方向に長い長穴を備えた構造としたものである。
【００１１】
前記アンカー部材２は、その全体を鋼板によって形成したものであって、一枚の鋼板を略Ｖ字形、より詳しくは、中間部分に小幅の平坦部分２３を残してその両側部分を、図６のようにそれぞれ約６０度角上方に向けて折り曲げてアンカー本体２２を形成し、該アンカー本体２２から、この実施例にあっては、前記平坦部分２３の中央部分から上方に向かって突出するように短冊板状の突出体２１を溶接して突出させ、この突出体２１の上端近く部分に、開口３０を横方向に向けて形成した円形穴をもつフック状係合部３１を形成してある構造としたものである。
【００１２】
このような構造とした両部材１，２を互いに嵌合連結するには、例えば、アンカー部材２を前記開口３０が上向きとなるようにし、この開口３０に前記筒状部材１の板状の突出体１１を差し込み、この状態でアンカー部材２を手放して通常姿勢にすることによって、図８にみられるように、アンカー部材２のフック状係合部３１を筒状部材１の突出体１１に形成した前記長穴状係合孔３２と嵌合させることができる。
【００１３】
次に、このようにしたヘッド部材を連結するバーチカルドレンパイプＰについて、その概要構造を図９を参照して説明すると、断面形状を上下逆台形状に形成されたポリエチレン製の補強芯材ａが一定間隔を隔てて螺旋状に巻回され、地下水濾過膜ｂがこの隣り合う補強芯材ａ，ａ間上に螺旋巻きされて熱融着され、その外周面に不織布ｃが巻き付けられ、別のポリエチレン製の外周保護帯ｄが、これらの濾過膜ｂと不織布ｃの両側縁部上に螺旋巻きされて補強芯材ａの外周面上に熱融着されているパイプＰである。
【００１４】
該パイプＰは、その構造並びに径や補強芯材ａのピッチ等については必要に応じて適宜に実施されるものであって一定形のものではないが、参考までにここに示したパイプＰの各部の概寸を、最外直径＝１００ｍｍのパイプについて示すと次の通りである。補強芯材ａが形成する最小直径＝８０ｍｍ、濾過膜ｂ部分の直径＝９５ｍｍ、螺旋ピッチ＝３５ｍｍ、補強芯材ａの横幅＝１６ｍｍ、外周保護帯ｄの横幅＝１４ｍｍである。
【００１５】
図１１及び１２は第２実施例について示したものであって、該実施例は、前記第１実施例において示したフック状係合部３１を、筒状部材１の突出体１１に形成し、該フック状係合部３１と嵌合する係合孔３２をアンカー部材２の突出体２１に形成してある構造としたものである。その他の点については、前記第１実施例の説明に準ずる。
【００１６】
以上本発明の代表的と思われる実施例について説明したが、本発明は必ずしもこれらの実施例構造のみに限定されるものではなく、例えばアンカー部材２を下窄まりの円錐状や角錐状のものとしたり、例えば緑青等の有害物質を発生しない非鉄金属や合成樹脂素材によって形成することができ、本発明にいう前記の構成要件を備え、かつ、本発明にいう目的を達成し、以下にいう効果を有する範囲内において適宜改変して実施することができるものである。
【００１７】
【発明の効果】
以上の説明から明らかなように、本発明にいうバーチカルドレンパイプ用ヘッドは、筒状部材とアンカー部材とにそれぞれ突出体を形成し、これらの両突出体に、その一方に横方向に開口を備えたフック状係合部を形成し、他方に該係合部と嵌合する係合孔を形成させることによって、一方に形成した横方向の開口に対して他方の突出体を挿入させ、両突出体の相対角度を変更するという極めて簡易な手段によって両部材の嵌合連結を完了することができるようにしたものであるから、両部材の連結をほぼワンタッチ状に極めて迅速簡単に行うことができるという顕著な効果を有する。
【００１８】
また、筒状部材に突出体を形成すること並びにこの突出体にフック状係合部を形成すること若しくは係合孔を形成することは、筒状部材の成形と同時に行うことができるので、筒状部材の成形後に後加工を必要としないという製造上の利点もある。
【図面の簡単な説明】
【図１】第１実施例の筒状部材を示す斜視図。
【図２】同部材の正面図。
【図３】同部材の側面図。
【図４】同アンカー部材の斜視図。
【図５】同部材の平面図。
【図６】同部材の正面図。
【図７】図６のＡ−Ａ線断面図。
【図８】両部材の連結状態を示す斜視図。
【図９】同正面図。
【図１０】同一部切欠き側面図。
【図１１】第２実施例を示す要部の一部断面図。
【図１２】同実施例の図１０相当部分の側面図。
【図１３】従来例を示す一部切欠き正面図。
【符号の説明】
１  筒状部材
１１  突出体
２  アンカー部材
２１  突出体
２２  アンカー本体
３０  開口
３１  フック状係合部
３２  係合孔
Ｐ  バーチカルドレンパイプ
【図１】
0004389021.tif 000002
【図２】
0004389021.tif 000003
【図３】
0004389021.tif 000004
【図４】
0004389021.tif 000005
【図５】
0004389021.tif 000006
【図６】
0004389021.tif 000007
【図７】
0004389021.tif 000008
【図８】
0004389021.tif 000009
【図９】
0004389021.tif 000010
【図１０】
0004389021.tif 000011
【図１１】
0004389021.tif 000012
【図１２】
0004389021.tif 000013
【図１３】
0004389021.tif 000014